(57)【要約】【課題】既存ベランダの前面側に耐震補強用の空間を特に必要とすることなく、また、既存建物の外観を大きく変えることなく、既存ベランダを活用して既存建物の耐震性能の向上を図ることができるようにする。【解決手段】複数階層の夫々にベランダ５を設けてある既存建物Ａの耐震補強構造であって、上下方向で隣り合う一対のベランダのうちの上側ベランダ５ａの下面にベランダ奥行き方向に沿う鉄骨梁９を連結固定してあるとともに、下側ベランダ５ｂの上面に上下方向に沿う鉄骨フレーム１０を建物外周部４から離して、かつ、その鉄骨フレームを挟む前後位置のベランダ部分に亘る人の移動用空間１１を残して連結固定し、鉄骨梁と鉄骨フレームとを、制振用ダンパー１２を介して接続してある。【選択図】図２
2008297718.tif 000002
【特許請求の範囲】
【請求項１】
複数階層の夫々にベランダを設けてある既存建物の耐震補強構造であって、
上下方向で隣り合う一対のベランダのうちの上側ベランダの下面にベランダ奥行き方向に沿う鉄骨梁を連結固定してあるとともに、下側ベランダの上面に上下方向に沿う鉄骨フレームを建物外周部から離して、かつ、その鉄骨フレームを挟む前後位置のベランダ部分に亘る人の移動用空間を残して連結固定してあり、
前記鉄骨梁と前記鉄骨フレームとを、制振用ダンパーを介して接続してある耐震補強構造。
【請求項２】
前記鉄骨フレームを、前記移動用空間を内側に備えた門型に形成してある請求項１記載の耐震補強構造。
【発明の詳細な説明】
【技術分野】
【０００１】
本発明は、複数階層の夫々にベランダを設けてある既存建物の耐震補強構造に関する。
【背景技術】
【０００２】
複数階層の夫々にベランダを設けてある集合住宅などの既存建物の耐震補強構造では、従来、既存ベランダを活用して既存建物の耐震性能を向上させるために、既存ベランダの前面側に、その既存ベランダの下面側に入り込ませるベランダ支持部を備えた梁部材と、その梁部材を地盤側に支持する柱部材とを設置して、ベランダ支持部を既存ベランダに一体化してある（例えば、特許文献１参照）。
【０００３】
【特許文献１】特開２００３−２０６６３６号公報
【発明の開示】
【発明が解決しようとする課題】
【０００４】
このため、既存ベランダを活用して既存建物の耐震性能の向上を図るにあたって、既存ベランダの前面側に、梁部材や柱部材を設置するための空間を必要とするとともに、既存建物の外観が大きく変わり易い欠点がある。
本発明は上記実情に鑑みてなされたものであって、既存ベランダの前面側に耐震補強用の空間を特に必要とすることなく、また、既存建物の外観を大きく変えることなく、既存ベランダを活用して既存建物の耐震性能の向上を図ることができるようにすることを目的とする。
【課題を解決するための手段】
【０００５】
本発明の第１特徴構成は、複数階層の夫々にベランダを設けてある既存建物の耐震補強構造であって、上下方向で隣り合う一対のベランダのうちの上側ベランダの下面にベランダ奥行き方向に沿う鉄骨梁を連結固定してあるとともに、下側ベランダの上面に上下方向に沿う鉄骨フレームを建物外周部から離して、かつ、その鉄骨フレームを挟む前後位置のベランダ部分に亘る人の移動用空間を残して連結固定してあり、前記鉄骨梁と前記鉄骨フレームとを、制振用ダンパーを介して接続してある点にある。
【０００６】
〔作用及び効果〕
上下方向で隣り合う一対のベランダのうちの上側ベランダの下面に連結固定してあるベランダ奥行き方向に沿う鉄骨梁と、下側ベランダの上面に連結固定してある上下方向に沿う鉄骨フレームとを、制振用ダンパーを介して接続してあるので、既存ベランダの前面側に耐震補強用の空間を特に必要とすることなく、また、既存建物の外観を大きく変えることなく、既存ベランダを活用して既存建物の耐震性能の向上を図ることができる。
その上、鉄骨フレームを、その鉄骨フレームを挟む前後位置のベランダ部分に亘る人の移動用空間を残して下側ベランダの上面に連結固定してあるので、既存ベランダにおける人の移動を妨げるおそれも少ない。
尚、本発明におけるベランダとは、建物外周部から外方に張り出すように設置される床構造物を意味しており、建物外周部から外方に張り出すバルコニーと称する床構造物も含む概念である。
【０００７】
本発明の第２特徴構成は、前記鉄骨フレームを、前記移動用空間を内側に備えた門型に形成してある点にある。
【０００８】
〔作用及び効果〕
鉄骨フレームを、移動用空間を内側に備えた門型に形成してあるので、移動用空間を確保しながら、鉄骨フレームの横方向（ベランダ奥行き方向）からの外力に対する剛性を確保し易く、鉄骨フレームが変形し難い。
【発明を実施するための最良の形態】
【０００９】
以下に本発明の実施の形態を図面に基づいて説明する。
図１，図２は、既存建物の一例としての複数階層からなる鉄筋コンクリート造り集合住宅Ａの本発明による耐震補強構造を示し、図１に示すように、集合住宅Ａにおける各階層の夫々を、中央部の吹き抜け空間などの共有部１を囲んで複数の住戸２と階段やエレベータなどを設置してある共有区画３などに区画して、建物外周部４を略一連に囲む鉄筋コンクリート造りのベランダ５を床スラブ２７と略同じ高さ位置に沿って一体に設けてある。
【００１０】
前記建物外周部４は、梁構造部６を支持する複数の鉄筋コンクリート製柱構造部７間に外壁構造部８を一体に設けて構成してあり、各階層のベランダ５における平面視で同じ複数位置（符号Ｂで示す）の柱構造部７の夫々に沿って耐震補強構造を設けてある。
【００１１】
前記耐震補強構造は、図２に示すように、上下方向で隣り合う一対のベランダ５のうちの上側ベランダ５ａの下面と柱構造部７とに亘ってベランダ奥行き方向に沿う鉄骨梁９を連結固定してあるとともに、下側ベランダ５ｂの上面に上下方向に沿う鉄骨フレーム１０を建物外周部４から離して、かつ、その鉄骨フレーム１０を挟む前後位置のベランダ部分に亘る人の移動用空間（避難路）１１を残して連結固定してあり、鉄骨梁９と鉄骨フレーム１０とを制振用ダンパー１２を介して接続してある。
【００１２】
前記鉄骨梁９は、長手方向をベランダ奥行き方向に沿わせるＨ形鋼１３の両端部の夫々に、上下方向に沿うウェブ１４を挟んで左右一対の鋼製リブ板１５を上下のフランジ１６に亘って一体に溶接固定して構成してある。
【００１３】
そして、上側ベランダ５ａの下面側に複数のアンカー金具１７を埋め込み固定しておいて、上側フランジ１６ａに形成した貫通孔に挿通したボルト１８をそれらのアンカー金具１７にねじ込むことによって、鉄骨梁９を上側ベランダ６ａの下面にベランダ奥行き方向に沿わせて連結固定してあり、鉄骨梁９と上側ベランダ５ａとの隙間にはモルタル等の充填材を適宜充填してある。
【００１４】
また、柱構造部７にも複数のアンカー金具２８を埋め込み固定しておいて、リブ板１５に形成した貫通孔に挿通したボルト２９をそれらのアンカー金具２８にねじ込むことによって、鉄骨梁９を上柱構造部７に連結固定してある。
【００１５】
前記鉄骨フレーム１０は、長手方向をベランダ奥行き方向に沿わせる上部Ｈ形鋼１９と、上部Ｈ形鋼１９の両端部下面側の夫々に上下方向に沿わせて溶接固定してある一対の下部Ｈ形鋼２０とで構成して、下部Ｈ形鋼２０間に移動用空間１１を備えた門型に形成してある。
【００１６】
前記上部Ｈ形鋼１９には、下部Ｈ形鋼２０におけるフランジ２１の位置の夫々に対応させて、リブ板２２を上下のフランジ２３に亘って一体に溶接固定してあり、各下部Ｈ形鋼２０の下端側には鋼製基板２４を溶接固定してある。
【００１７】
そして、下側ベランダ５ｂの上面側に複数のアンカー金具２５を埋め込み固定しておいて、基板２４に形成した貫通孔に挿通したボルト２６をそれらのアンカー金具２５にねじ込むことによって、鉄骨フレーム１０を下側ベランダ５ｂの上面に連結固定してあり、基板２４と下側ベランダ５ｂとの隙間にはモルタル等の充填材を適宜充填してある。
【００１８】
前記制振用ダンパー１２は、振動エネルギーを板同士の摩擦力として吸収する摩擦ダンパーで構成してあり、板同士の摩擦方向をベランダ奥行き方向に沿わせて設置してある。
【００１９】
〔その他の実施形態〕
１．本発明による耐震補強構造は、鉄骨梁と前記鉄骨フレームとを、摩擦ダンパー以外の粘弾性ダンパーやオイルダンパーなどの各種制振用ダンパーを介して接続してあっても良い。
２．本発明による耐震補強構造は、鉄骨フレームの側部と建物外周部との間に、鉄骨フレームを挟む前後位置のベランダ部分に亘る人の移動用空間を設けてあっても良い。
３．本発明による耐震補強構造は、複数階層の夫々にベランダを設けてある既存建物がプレハブ造りや木造の既存建物であっても良い。
４．本発明による耐震補強構造は、複数階層の夫々にベランダを設けてある既存建物が、学校建物や病院建物，テナントが入居する商業用建物などであっても良い。
【図面の簡単な説明】
【００２０】
【図１】既存建物の一つの階層における平面図
【図２】耐震補強構造を示す側面図
【符号の説明】
【００２１】
４  建物外周部
５  ベランダ
５ａ  上側ベランダ
５ｂ  下側ベランダ
９  鉄骨梁
１０  鉄骨フレーム
１１  人の移動用空間
１２  制振用ダンパー
Ａ  既存建物
【図１】
2008297718.tif 000003
【図２】
2008297718.tif 000004